(57)【要約】【課題】化粧皿を収容するコンパクト容器について、様々なサイズ及び形状の化粧皿を収容する。【解決手段】容器本体２と、容器本体に取り付けられる蓋体４と、容器本体内に形成されて化粧皿１５を収容する皿収容部５と、皿収容部に輪状に置かれていて、化粧皿を囲繞し、皿収容部からベルト挿通孔を通るベルト１１と、容器本体に形成されていて皿収容部に達するベルト挿通孔９と、貫通孔１２ａを有し、ベルトの少なくとも一端が固定されていて貫通孔の軸方向に移動可能に配置されたナット１２と、ナットの貫通孔に螺合し且つ容器本体内において回転可能に配置されたボルト１０と、を具える。【選択図】図１
2006334390.tif 000002
【特許請求の範囲】
【請求項１】
容器本体と、
前記容器本体に取り付けられる蓋体と、
前記容器本体内に形成されていて化粧皿を収容する皿収容部と、
前記皿収容部に輪状に置かれて、前記化粧皿を囲繞し、前記皿収容部から前記ベルト挿通孔を通るベルトと、
前記容器本体に形成されていて前記皿収容部に達するベルト挿通孔と、
ネジ孔を有し、前記ベルトの少なくとも一端が固定されていて前記ネジ孔の軸方向に移動可能に配置されたナットと、
前記ナットの前記ネジ孔に螺合し且つ前記容器本体内において回転可能に配置されたボルトと、
を具えることを特徴とするコンパクト容器。
【請求項２】
前記ベルトは、両端が前記ナットに固定されていることを特徴とする、請求項１に記載のコンパクト容器。
【発明の詳細な説明】
【技術分野】
【０００１】
本発明は、コンパクト容器に関し、特に、様々な寸法形状の化粧皿を収容できるコンパクト容器に関する。
【背景技術】
【０００２】
ファンデーションやほほ紅等の化粧料を収容するプレスドタイプの化粧用コンパクトにおいて、化粧料がなくなった場合にはそれを入れる化粧皿ごと交換することによって化粧料を補充することが行われている。このように交換される化粧皿は、そのサイズ及び形状に合ったコンパクト容器に収めることとされている。
【０００３】
また、化粧皿の交換の際には、化粧皿をコンパクト容器に対して容易に脱着できることが望ましいが、その一方で、化粧料の使用期間中に衝撃で化粧皿がコンパクト容器から簡単に抜け落ちると、化粧料にヒビが入り或いは化粧料の粉で周囲を汚染するなどして、使用上の利便性等が著しく低下することになる。
【０００４】
このようなことから、コンパクト容器における化粧皿の保持・着脱機構については、下記の特許文献１〜３に記載されているように、多くの工夫がなされている。
【０００５】
特許文献１には、コンパクト本体の窪み部の底面に係合爪片を設け、化粧料が充填された受皿を係合爪片と窪み部側面によって保持する構造が記載されている。
【特許文献１】実開平１−１５７６０９号公報（実願昭６３−５２９７５号）
【０００６】
また、特許文献２には、コンパクト容器の本体部において、化粧料が充填された中皿を収容する収容部の平面形状を楕円とし、その収容部の可撓性により化粧皿を保持する構造が記載されている。
【特許文献２】実開平２−１４６５１１号公報（実願平１−５３９９４号）
【０００７】
さらに、特許文献３には、化粧料が充填された中皿を収容する中皿収容部をコンパクト容器に設け、中皿の下面と中皿収容部の底面を両面テープにより固着する構造が記載されている。
【特許文献３】特開昭６２−１６１３０６号公報
【発明の開示】
【発明が解決しようとする課題】
【０００８】
ところで、化粧料を新しいものと交換する際に、異なるメーカーのもの、或いは同じメーカーでもシリーズの異なるものを使用したいことがあるが、それらの受皿或いは中皿は微妙に大きさや形状が異なることが多い。上記したコンパクト容器にそれらを入れる場合には、次のような問題がある。
【０００９】
特許文献１に記載のコンパクト容器では、係合爪片と窪み部側面によって挟持できない小さな受皿を収容すると、受皿がコンパクト容器から容易に脱落しやすくなる。
【００１０】
また、特許文献２に記載のコンパクト容器では、中皿を収容する収容部の平面形状よりも小さな中皿を収容すると、中皿がコンパクト容器から抜け落ちやすい。
【００１１】
さらに、特許文献１、特許文献２に記載のコンパクト容器では、規格よりも僅かに大きな化粧料用の皿を入れようとすると、係合爪片や楕円状の収容部が広がりすぎて破損しやすくなる。
【００１２】
一方、特許文献３に記載のコンパクト容器は、中皿と中皿収容部を両面テープにより固着する構造を採用しているので、中皿収容部よりも小さい中皿を取り付けても脱落しにくい。この場合、中皿と中皿収容部の互いの側面の間に隙間が形成される。
【００１３】
しかし、両面テープが中皿の下面よりも小さければ、両面テープからはみ出した部分と中皿収容部の底面との間にも隙間ができるので、中皿内の化粧料である例えばファンデーションにスポンジを強く押しつけると、中皿が隙間内で撓んでその中のファンデーションにヒビが入ってしまう。このヒビにより、ファンデーション表面でスポンジの滑りが悪くなり、ファンデーションが使いにくくなる。これに対して、中皿の底面全体に両面テープを付ければ、化粧料のヒビの発生は防止できるが、これでは中皿と中皿収容部との接着力が強くなり過ぎて中皿の交換に支障をきたす。
【００１４】
また、中皿の交換の際に、特に両面テープの面積が大きい場合には、誤って両面テープの端縁部をカールさせたり（巻き込んだり）二重に折りたたんで張り付けてしまうことがあり、また、中皿の交換の際に、両面テープの粘着面に化粧料の粉が付着したり、接着面の間に空気が入り込んだりして、両面テープの粘着力が弱くなることがあり、いずれにしても両面テープは取り扱いが面倒である。
【００１５】
本発明の目的は、様々なサイズ及び形状の化粧皿を収容することができるコンパクト容器を提供することである。
【課題を解決するための手段】
【００１６】
本発明の特徴によれば、容器本体と、前記容器本体に取り付けられる蓋体と、前記容器本体内に形成されていて化粧皿を収容する皿収容部と、前記皿収容部に輪状に置かれて、前記化粧皿を囲繞し、前記皿収容部から前記ベルト挿通孔を通るベルトと、前記容器本体に形成されていて前記皿収容部に達するベルト挿通孔と、ネジ孔を有し、前記ベルトの少なくとも一端が固定されていて前記ネジ孔の軸方向に移動可能に配置されたナットと、前記ナットの前記ネジ孔に螺合し且つ前記容器本体内において回転可能に配置されたボルトと、を具える。前記ボルトは、前記容器本体内から前記容器本体外に向かってまたは前記容器本体外まで伸びていてもよい。
【００１７】
実施形態のコンパクト容器において、前記ベルトは、両端が前記ナットに固定されていてもよい。
【発明の効果】
【００１８】
本発明によれば、化粧皿のサイズ及び形状の違いを考慮することなく化粧皿をコンパクト容器に収容して使用することができ、従って、化粧料を購入する際に、メーカーごとに異なる化粧皿であっても、更に同じメーカーの異なる様々なシリーズの化粧皿であっても、脱落を防止しながらコンパクト容器に着脱自在に収容または収納することができる。
【発明を実施するための最良の形態】
【００１９】
以下、本発明の実施の形態を、図面を参照して説明する。
【００２０】
（第１の実施形態）
図１（ａ）〜（ｃ）は、本発明の第１の実施形態によるコンパクト容器の斜視図である。図２は、本発明の第１の実施形態に係るコンパクト容器内に取り付けられるボルト、ナット及びベルトの接続及び配置の状態を示す平面図である。
【００２１】
コンパクト容器１は、平面形状が横長であって且つ板状の容器本体２と、容器本体２の後部端縁にヒンジ（蝶番）３を介して開閉可能に取り付けられる板状の蓋体４とを有している。
【００２２】
容器本体２は、その内部の左側領域に凹状に形成されて平面形状が略四角形の皿収容部５と、右側領域に凹状に形成されて平面形状が略四角形の塗布用小道具収容部６と、皿収容部５と塗布用小道具収容部６の間を仕切る仕切部（内部堤壁）７とを有している。
【００２３】
また、塗布用小道具収容部６の前部には、図１（ｂ）に示すように水平の細長い蓋６ｃで覆われ且つ垂直の細長い仕切板６ｂで仕切られたボルト収容用内腔部６ａが配置され、その右側方には、容器本体２の右側壁を貫通するボルト貫通孔８が形成されている。仕切板６ｂ及び蓋６ｃは、図１（ａ）では透明な形態で示されているが、不透明であってもよい。さらに、ボルト収容用内腔部６ａの左側方の仕切部７には、後述するように、ベルト、帯またはバンド１１を挿通するベルト挿通孔９が形成されている。なお、蓋６ｃと仕切板６ｂを設けずに、ボルト収容用内腔部６ａと塗布用小道具収容部６を１つの凹所内空間に設けてもよい。
【００２４】
ボルト収容用内腔部６ａ内には、ボルト貫通孔８を貫通するボルト１０が配置されている。ボルト１０は、図２に示すように、ボルト収容内腔部６ａ内に配置されるネジ部１０ａと、容器本体２の右外側の端縁部または端縁面に配置されてネジ部１０ａ及びボルト貫通孔８より大きい径を有する調整つまみ１０ｂと、ネジ部１０ａの調整つまみ１０ｂ側にあってボルト貫通孔８内又はボルト収容用内腔部６ａ内で回転可能な位置に配置され且つネジ部１０ａよりも径の大きい回転フランジ１０ｃと、を有している。調整つまみ１０ｂはネジ部１０ａのボルト頭でもある。
【００２５】
図１（ａ）及び（ｂ）では、調整つまみ１０ｂの外端面は、容器本体２の外側の端縁面より突出した位置に配置されるように示されているが、容器本体２の外側の端縁面と同じ面の位置に配置されても、またその外側の端縁面より内側の奥（外堤壁２４内）の位置になるように配置して目立たないようにしてもよい。さらに、容器本体２外に露出しているその調整つまみ１０ｂの外端面に＋または−型の溝を形成して、調整つまみ１０ｂをドライバで回転可能にしてもよい。また、図１（ｃ）に示したように、調整つまみ１０ｂを容器本体２の外堤壁２４内に配置し、円柱状の調整つまみ１０ｂの周面の上側の一部を露出させて指で回転可能にしてもよい。
【００２６】
また、ネジ部１０ａは、略立方体状のナット１２の貫通孔であるネジ孔１２ａに螺合され、ボルト収容用内腔部６ａ内においてナット１２はネジ孔１２ａの軸方向に移動可能な形態で取り付けられる。そのナット１２の側面または端面には、中央部分が皿収容部５内に配置されるベルト１２の両端が、接着剤または溶接等によって固定または固着されており、ナット１２及びベルト１１の組立体は全体として輪状を形成している。
【００２７】
ベルト１１は、可撓性を有し、皿収容部５の深さと等しいまたはそれよりも小さい幅を有し、例えば樹脂やステンレス鋼等の金属のような材料で構成され、皿収容部５の平坦な底面に対して平行な方向に（即ち水平面内の方向で）変形可能な厚さを有する。また、ベルト１１は、図１（ｂ）に示すように、皿収容部５内に収容または収納される化粧皿１５の外周面を囲繞し、ボルト１０の回転によるナット１２の位置の調整によって化粧皿１５の外周を締め付けて保持可能であるように構成されている。
【００２８】
なお、図１（ａ）及び（ｂ）において、符号１３は、蓋体２のうち容器本体２の対向面に取り付けられた鏡を示し、符号１４は、塗布用小道具収容部６内に収容または収納されるスポンジを示している。
【００２９】
上記のコンパクト容器１において、図１（ａ）に示すような状態で、まず、ボルト１０の調整つまみ１０ｂを回してナット１２の位置を左方向に移動させて皿収容部５内でのベルト１１の輪を最大限に広げる。ベルト１１は、好ましくは、輪状にまたは外向きに広がるような復元力を有する。
【００３０】
続いて、所望の化粧皿１５を、ベルト１１の輪の中にある皿収容部５の底面の上に載置する。
【００３１】
その後で、ベルト１１により化粧皿１５を締め付ける方向にナット１２を移動させるように、調整つまみ１０ｂを手で回し、その操作を続け、最終的に、ベルト１１が移動しにくくなり、さらに調整つまみ１０ｂの回転に大きな負荷がかかる状態になった時点でナット１２の位置の調整を終える。
【００３２】
これにより、図１（ｂ）に示すように、皿収容部５内でベルト１１の輪が収縮し、化粧皿１５の外周側面は、ベルト１１によって囲繞され且つ締め付けられてその動きが拘束されて保持される。なお、ベルト１１は、ベルト１１の幅方向すなわち面内の方向には変形しにくい材料、例えばステンレス鋼のような金属を選択することによって化粧皿１５が皿収容部５の底面から浮き上がりにくくなり、その落下は確実に防止される。
【００３３】
この結果、化粧皿１５が皿収容部５に収まる大きさであれば、化粧皿１５が皿収容部５よりも小さくても、化粧皿１５は落下しにくくなる。また、皿収容部５を予め大きめに形成しておけば適用できる化粧皿１５の種類は多くなる。化粧皿１５の平面形状は、円形状、楕円形状、正方形状、長方形状、多角形状、及びその他の任意の形状でもよい。しかも、化粧皿１５の平坦な下面と皿収容部５の平坦な底面は直に接触するので、化粧皿１５の撓みは防止される。
【００３４】
一方、化粧皿１５を取り出す場合には、ボルト１０の調整つまみ１０ｂを逆の方向に回し続けると、化粧皿１５の内でベルト１１の輪が広がって化粧皿１５の拘束を解くので、化粧皿１５を皿収容部５から容易に取り出せる。
【００３５】
（第２の実施の形態）
図３は、本発明の第２の実施形態によるコンパクト容器の斜視図であって、図１と同じ符号は同じ要素を示している。図４は、本発明の第２の実施形態によるコンパクト容器内に取り付けられるボルト、ナット及びベルトの接続及び配置の状態を示す平面図である。
【００３６】
コンパクト容器１は、皿収容部５と塗布用小道具収容部６が第１実施形態に比べて左右反対の位置に形成され、これによりボルト収容用内腔部６ａも左側に位置し、その中に取り付けられるボルト１０の調整つまみ１０ｂも容器本体２の左側から突出している。
【００３７】
また、本実施形態では、輪になるベルト１１の両端をナット１２に固定するのではなく、図４に示すように、その一端のみをナット１２に固定し、その他端を、Ｌ字状又はＶ字状に折り返して折り返し部１１ａを形成してベルト挿通孔９と皿収容部５の側壁の交差部分に引っ掛け係止してその移動が規制されるように構成されている。なお、折り返し部１１ａは、皿収容部５又はベルト挿入孔９の壁面に接着剤等で接合または固着するようにしてもよい。
【００３８】
この実施形態によれば、ボルト収容用内腔部６ａの中でのナット１２の移動量と皿収容部５内でのベルト１１の伸縮長さが等しくなり、第１実施形態のベルト１１の伸縮長さの１／２となる。
【００３９】
本実施形態によれば、ナット１２の移動量に対するベルト１１の伸縮長さが第１実施形態よりも小さくなって微調整ができるという長所がある。
【００４０】
これにより、調整つまみ１０ｂを回すことによってナット１２が塗布用小道具収容部６の前部に設けた内腔を動くことにより、輪の一端が引き寄せられて又は押し出されて伸びたり縮んだりすることになる。
【００４１】
なお、図３に示すように、皿収容部５の底部に両面粘着性シート２１を介して化粧皿を載せる場合であっても、化粧皿の外周面の外側方向への広がりがベルト１１により抑えられるので、化粧皿１５と皿収容部５の側壁との間に隙間があっても化粧皿１５が撓みにくくなり、例えば化粧皿１５に充填されたファンデーションにヒビが入り難くなる。なお、皿収容部５の底部における両面粘着性シート２１を接着する領域に両面粘着性シート２１の厚さ分の深さの凹所を設けてもよい。
【図面の簡単な説明】
【００４２】
【図１】図１（ａ）〜（ｃ）は、本発明の第１の実施形態によるコンパクト容器の斜視図である。
【図２】図２は、本発明の第１の実施形態に係るコンパクト容器内に取り付けられるボルト、ナット及びベルトの接続及び配置の状態を示す平面図である。
【図３】図３は、本発明の第２の実施形態によるコンパクト容器の斜視図である。
【図４】図４は、本発明の第２の実施形態によるコンパクト容器内に取り付けられるボルト、ナット及びベルトの接続及び配置の状態を示す平面図である。
【符号の説明】
【００４３】
１  コンパクト容器
２  容器本体
３  ヒンジ
４  蓋体
５  皿収容部
６  塗布用小道具収容部
６ａ  ボルト収容用内腔部
７  仕切部
８  ボルト貫通孔
１０  ボルト
１０ａ  ネジ部
１０ｂ  調整つまみ
１１  ベルト
１２  ナット
【図１】
2006334390.tif 000003
【図２】
2006334390.tif 000004
【図３】
2006334390.tif 000005
【図４】
2006334390.tif 000006